(57)【要約】【課題】  効率良く動画像の画像データを得る。【解決手段】  動画像の画像データに比べて高解像度が要求される静止画像の画像データを得る静止画像モードが設定されると、ＣＣＤ５０上の第２の受光領域９２より広い第１の受光領域９０内の信号電荷蓄積素子８０1〜n各々に蓄積された信号電荷を第１の水平転送路８６を介して画像データとして読出し、静止画像の画像データに比べて高解像度の要求の少ない動画像の画像データを得る動画像モードが設定されると、第１の受光領域９０より狭い第２の受光領域９２内の信号電荷蓄積素子８０Ａ1〜n各々に蓄積された信号電荷を第２の水平転送路８８を介して画像データとして読出す。更に、第１の受光領域９０と第２の受光領域９２とのサイズの違いに応じて、静止画像モードと動画像モードとで同一画角の画像データが得られるように、モードの設定がなされるとズームレンズ１４の位置を調整することができるので、静止画像モードの画角と動画像モードの画角とが同一となるように調整する。【選択図】        図３
2006005529.tif 000002
【特許請求の範囲】
【請求項１】
撮影光学系を介して入射された光を受光して、受光量に応じた信号電荷を蓄積する複数の信号電荷蓄積素子を備えた第1の受光領域内の前記信号電荷蓄積素子各々に蓄積された信号電荷を転送する第１の転送路、及び前記第１の受光領域内の前記第1の受光領域より狭い第２の受光領域内の前記信号電荷蓄積素子各々に蓄積された信号電荷を転送する第２の転送路、を有する撮像素子と、
切換えられることによって前記第１の転送路から転送された信号電荷及び前記第２の転送路から転送された信号電荷の何れか一方を画像データとして読出す読出手段と、
静止画像の画像データを得る静止画像モード及び動画像の画像データを得る動画像モードを設定する設定手段と、
前記静止画像モードが設定されたときに、前記第１の転送路から転送された信号電荷を画像データとして読出すように前記読出手段を切換え、前記動画像モードが設定されたときに、前記第２の転送路から転送された信号電荷を画像データとして読出すように前記読出手段を切換える切換手段と、
を備えた撮像装置。
【請求項２】
前記撮影光学系を、前記静止画像モードの画角と前記動画像モードの画角とが同一画角となるように調整可能とした請求項１に記載の撮像装置。
【発明の詳細な説明】
【技術分野】
【０００１】
本発明は、撮像装置に係り、特にデジタルカメラ等の撮像装置に関する。
【背景技術】
【０００２】
従来、撮像装置、特にデジタルカメラで使用されているエリア型ＣＣＤには、信号電荷蓄積素子に蓄積された信号電荷を列毎に垂直方向に転送する垂直転送路と、垂直転送路から転送された信号電荷を水平方向に転送する水平転送路と、が設けられている。このようなエリア型ＣＣＤでは、各信号電荷蓄積素子に蓄積された信号電荷を垂直方向に順次並列に転送し、さらに、１ライン毎に水平方向に転送することで、転送された信号電荷が信号電圧、すなわち画像データとして読出される。
【０００３】
ところで、近年、撮像素子の画素数は増加の傾向にある。撮像素子の画素数が増加すると、撮像によって得られた画像データの読出し時間は増大する。そこで、撮像素子からの画像データの読出しの高速化を図るために様々な技術が開示されている。例えば、特許文献１の技術では、複数の垂直転送路から同時に垂直方向に信号電荷を転送し、転送された信号電荷を更に水平転送路上で混合して転送する。これによって、画素数が多い、すなわちより多くの信号電荷蓄積素子から得られた信号電荷に応じた画像データについても、高速な読出しが可能となる。また、特許文献１の技術では、撮像素子に設けられた複数の信号電荷蓄積素子に蓄積された信号電荷を、解像度に応じて１または複数の信号電荷蓄積素子毎に転送する飛ばし読みを行うことによって、解像度を容易に変更することができるようになっている。
【特許文献１】特開２００２―８４４６２号公報  （第３頁―４頁、図１、図２）
【発明の開示】
【発明が解決しようとする課題】
【０００４】
一般的に、動画像の画像データでは、静止画像の画像データに比べて高解像度が要求されることは少ない。このため、上記従来技術を適用し、解像度を容易に変更することで、静止画像に比べて低解像度の動画像の画像データを容易に得ることは可能であるが、上記従来技術では、水平転送路上で混合された信号電荷を読出しているので、混合された信号電荷を分離して被写体像を示す画像データを得るための特別な機構が別途必要であった。
【０００５】
本発明は、上記問題点を解決するためになされたもので、効率良く動画像の画像データを得ることが可能な撮像装置を提供することを目的とする。
【課題を解決するための手段】
【０００６】
上記目的を達成するために本発明の撮像装置は、撮影光学系を介して入射された光を受光して、受光量に応じた信号電荷を蓄積する複数の信号電荷蓄積素子を備えた第1の受光領域内の前記信号電荷蓄積素子各々に蓄積された信号電荷を転送する第１の転送路、及び前記第１の受光領域内の前記第1の受光領域より狭い第２の受光領域内の前記信号電荷蓄積素子各々に蓄積された信号電荷を転送する第２の転送路、を有する撮像素子と、切換えられることによって前記第１の転送路から転送された信号電荷及び前記第２の転送路から転送された信号電荷の何れか一方を画像データとして読出す読出手段と、静止画像の画像データを得る静止画像モード及び動画像の画像データを得る動画像モードを設定する設定手段と、前記静止画像モードが設定されたときに、前記第１の転送路から転送された信号電荷を画像データとして読出すように前記読出手段を切換え、前記動画像モードが設定されたときに、前記第２の転送路から転送された信号電荷を画像データとして読出すように前記読出手段を切換える切換手段と、を備えている。
【０００７】
本発明の撮像装置の撮像素子は、撮影光学系を介して入射された光を受光して、受光量に応じた信号電荷を蓄積する複数の信号電荷蓄積素子を備えている。入射された光を受光する第１の受光領域内の信号電荷蓄積素子各々に蓄積された信号電荷は、第1の転送路に転送される。第１の受光領域内の第1の受光領域より狭い第２の領域内の信号電荷蓄積素子各々に蓄積された信号電荷は、第２の転送路に転送される。第２の受光領域内の信号電荷蓄積素子の数は、第１の受光領域内の信号電荷蓄積素子の数に比べて少ないので、第２の転送路には、第１の転送路に比べて少ない数の信号電荷蓄積素子各々に蓄積された信号電荷、すなわち少ない画素数の信号電荷が転送される。
【０００８】
設定手段によって、静止画像の画像データを得る静止画像モードが設定されると、切換手段は、第1の転送路から転送された信号電荷を画像データとして読出すように読出手段を切換える。読出手段は、切換手段によって切換えられることによって、第1の転送路から転送された信号電荷を画像データとして読出す。一方、設定手段によって、動画像の画像データを得る動画像モードが設定されると、切換手段は、第２の転送路から転送された信号電荷を画像データとして読出すように読出手段を切替える。
【０００９】
このように、動画像の画像データに比べて高解像度が要求される静止画像の画像データを得る静止画像モードが設定されると、第2の受光領域より広い第1の受光領域内の信号電荷蓄積素子に蓄積された信号電荷を画像データとして読出し、静止画像の画像データに比べて高解像度の要求の少ない動画像の画像データを得る動画像モードが設定されると、第１の受光領域より狭い第２の受光領域内の信号電荷蓄積素子に蓄積された信号電荷を画像データとして読出すことができるので、動画像モード及び静止画像モードの設定に応じて、容易に解像度を変更するとともに、高解像度の要求の少ない動画像の画像データを容易に読出すことができる。
【００１０】
更に、第２の受光領域より広い第1の受光領域内の信号電荷蓄積素子に蓄積された信号電荷、すなわち静止画像モード用の信号電荷を転送する第１の転送路と、第1の受光領域より狭い第２の受光領域内の信号電荷蓄積素子に蓄積された信号電荷、すなわち動画像モード用の信号電荷を転送する第２の転送路とを別々に設けたので、効率良く動画像モード用の信号電荷を画像データとして得ることができる。
【００１１】
前記撮影光学系を、前記静止画像モードの画角と前記動画像モードの画角とが同一画角となるように調整可能とすることができる。
【００１２】
第1の受光領域と、第２の受光領域とは、受光領域のサイズが異なるが、本発明の撮像装置では、撮影光学系を、静止画像モードの画角と動画像モードの画角とが同一画角となるように調整しているので、静止画像モードが設定されたときと動画像モードが設定されたときとで、同一の画角を得ることができる。
【発明の効果】
【００１３】
本発明の撮像装置によれば、静止画像モードが設定されると、第１の受光領域内の信号電荷蓄積素子に蓄積された信号電荷を転送する第１の転送路から信号電荷を読出し、動画像モードが設定されると、第1の受光領域より狭い第２の受光領域内の信号電荷蓄積素子に蓄積された信号電荷を転送する第２の転送路から信号電荷を読出すことができるので、静止画像に比べて高解像度の要求が低い動画像の画像データを効率良く得ることができる、という効果が得られる。
【発明を実施するための最良の形態】
【００１４】
以下、本発明をデジタルカメラに適用した実施の形態を図面に基づき説明する。
【００１５】
図１（Ａ）に示すように、デジタルカメラ１０の筐体１２の正面側には、ズームレンズ１４、ストロボ１７、及び撮影範囲等を目視で確認するためのファインダ１６が設けられている。また、筐体１２の側面には、スマートメディア等の記録メディア２０を装填可能なスロット２２が設けられている。筐体１２の上面には、電源スイッチ２６、モードダイヤル２４及びレリーズスイッチ２８が設けられている。レリーズスイッチ２８は、撮影を実行するときにユーザによって押圧操作されるものである。電源スイッチ２６は、ユーザがデジタルカメラ１０の各部への電力の供給または供給停止の切り換えを行うときに操作するためのものである。モードダイヤル２４は、撮影によって動画像の画像データを得る動画像モード、及び撮影によって静止画像の画像データを得る静止画像モード等の中から、ユーザが所望のモードを選択するためのものである。
【００１６】
また、図１（Ｂ）に示すように、筐体１２の背面には、ＬＣＤ３４が設けられている。ＬＣＤ３４の近傍には、メニューボタン３８、上下矢印キー４０、及び実行ボタン４２等の各種選択ボタンが設けられている。メニューボタン３８は、ユーザがＬＣＤ３４へ各種メニュー項目を表示するときに操作するためのものである。上下矢印キー４０は、ユーザがＬＣＤ３４に表示された各種メニューから任意のメニュー項目を選択する際に操作するためのものである。実行ボタン４２は、ユーザが各項目の実行開始を指示するときに操作するためのものである。
【００１７】
図２には、本実施の形態に係るデジタルカメラ１０の主要構成をブロック図として示した。
【００１８】
デジタルカメラ１０は、光軸方向に移動可能に設けられたズームレンズ１４、フォーカスレンズ（図示省略）、絞り１９、及びＣＣＤ（Charge Coupled Device）５０を備えている。ズームレンズ１４を通過した光は、図示を省略したフォーカスレンズを通過し、絞り１９により光量調節された後、ＣＣＤ５０に入射される。また、デジタルカメラ１０は、アナログ信号処理部５１、アナログ信号をデジタル信号に変換するアナログ／デジタル変換部（以下、Ａ／Ｄ変換部という）５２、ＣＣＤ駆動信号・切換信号発生部５６、モータドライバ５８、及び主制御部６０を備えている。
【００１９】
図３に示すように、ＣＣＤ５０は、水平方向及び垂直方向に所定ピッチで配置された複数の信号電荷蓄積素子８０1〜nを備えている。複数の信号電荷蓄積素子８０1〜n各々は、入射された光を受光して、受光量に応じた信号電荷を蓄積する。
【００２０】
また、ＣＣＤ５０には、信号電荷蓄積素子８０1〜n各々に蓄積された信号電荷を垂直方向に順次転送するための垂直転送路８２1〜n及び垂直転送路８４1〜nが設けられている。
【００２１】
垂直転送路８２1〜nは、ＣＣＤ５０の受光面全域に相当する第１の受光領域９０内の信号電荷蓄積素子８０1〜n各々の垂直方向の列毎に対応して設けられ、信号電荷蓄積素子８０1〜n各々に転送ゲート８１1〜nを介して接続されている。
【００２２】
一方、垂直転送路８４1〜nは、第１の受光領域９０内の信号電荷蓄積素子８０1〜nの内、第１の受光領域９０より狭い第２の受光領域９２内の信号電荷蓄積素子８０1〜n（以下、信号電荷蓄積素子８０Ａ1〜nという）の垂直方向の列毎に対応して設けられ、信号電荷蓄積素子８０Ａ1〜n各々に転送ゲート８３1〜nを介して接続されている。第２の受光領域９２は、第１の受光領域９０と相似形または略相似形で、第１の受光領域９０の中央部と第２の受光領域９２の中央部とは、一致している。
【００２３】
第２の受光領域９２内の信号電荷蓄積素子８０Ａ1〜n各々には、切換えられることによって垂直転送路８２1〜n及び垂直転送路８４1〜nの何れか一方へ、蓄積された信号電荷を転送するためのスイッチ８５1〜nが設けられている。スイッチ８５1〜n各々は、後述するＣＣＤ駆動信号・切換信号発生部に接続されており、入力された切換信号に基づいて、垂直転送路８２1〜n及び垂直転送路８４1〜nの何れか一方へ信号電荷が転送されるように切換えられる。
【００２４】
垂直転送路８２1〜nの信号電荷転送方向（本実施の形態ではＡ方向）の最下流方向には、各垂直転送路８２1〜nから転送された信号電荷を水平方向に転送する第１の水平転送路８６が設けられている。第１の水平転送路８６の信号電荷転送方向最下流には、第１の水平転送路８６に転送された信号電荷を電圧信号（以下、画像データという）に変換するアンプ８７Ａを介して出力端子８７Ｂが接続されている。
【００２５】
一方、垂直転送路８４1〜nの信号電荷方向（本実施の形態ではＢ方向）の最下流方向には、各垂直転送路８４1〜nから転送された信号電荷を水平方向に転送する第２の水平転送路８８が設けられている。第２の水平転送路８８の信号電荷転送方向最下流には、第２の水平転送路８８に転送された信号電荷を画像データに変換するアンプ８９Ａを介して出力端子８９Ｂが接続されている。
【００２６】
ここで、本実施の形態では、静止画像モードが設定されたときに、スイッチ８５1〜n各々は、第２の受光領域９２内の信号電荷蓄積素子８０Ａ1〜n各々に蓄積された信号電荷を垂直転送路８２1〜nへ転送するように切換えられ、垂直転送路８２1〜n及び第１の水平転送路８６各々は、第１の受光領域９０内の信号電荷蓄積素子８０1〜n各々に蓄積された信号電荷を転送するための垂直転送路及び水平転送路各々として用いられる。このため、静止画像モードが設定されたときのＣＣＤ５０の受光領域は、第1の受光領域９０となる。
【００２７】
一方、動画像モードが設定されたときに、スイッチ８５1〜n各々は、第２の受光領域９２内の信号電荷蓄積素子８０Ａ1〜n各々に蓄積された信号電荷を垂直転送路８４1〜nへ転送するように切換えられ、垂直転送路８４1〜n及び第２の水平転送路８８各々は、第２の受光領域９２内の信号電荷蓄積素子８０Ａ1〜n各々に蓄積された信号電荷を転送するための垂直転送路及び水平転送路各々として用いられる。このため、動画像モードが設定されたときのＣＣＤ５０の受光領域は、第２の受光領域９２となる。
【００２８】
なお、本実施の形態のＣＣＤ５０には、図示を省略したシャッターゲートを介してシャッタドレインが設けられており、シャッターゲートをシャッターゲートパルスによって駆動することにより蓄積された信号電荷を垂直転送路８２1〜nまたは垂直転送路８４1〜nへ転送する。すなわち、ＣＣＤ５０は、各信号電荷蓄積素子８０1〜nに蓄積される信号電荷の蓄積時間（シャッタースピード）を制御する、いわゆる電子シャッター機能を有している。
【００２９】
ＣＣＤ駆動信号・切換信号発生部５６は、ＣＣＤ５０、アナログ信号処理部５１及びＡ／Ｄ変換器５２に対して、タイミング信号を発生する。ＣＣＤ駆動信号・切換信号発生部５６は、垂直転送路切換信号発生部５６Ａ及び水平転送路切換信号発生部５６Ｂを含んで構成されている。水平転送路切換信号発生部５６Ｂは、第２の水平転送路８８及び第１の水平転送路８６の何れか一方から各々出力端子８９Ｂまたは出力端子８７Ｂを介してアナログ信号処理部５１へ画像データを読出すように、出力端子８９Ｂ及び出力端子８７Ｂと、アナログ信号処理部５１との接続を切換えるための切換信号を発生する。垂直転送路切換信号発生部５６Ａは、垂直転送路８２1〜n及び垂直転送路８４1〜nの何れか一方へ第２の受光領域９２内の信号電荷蓄積素子８０Ａ1〜n各々に蓄積された信号電荷が転送されるようにスイッチ８５1〜nを切換える切換信号を発生する。
【００３０】
アナログ信号処理部５１は、出力端子８７Ｂまたは出力端子８９Ｂを介してＣＣＤ５０から画像データを読出して、相関二重サンプリング処理すると共に、Ｒ、Ｇ、Ｂの各色信号に色分解処理して、各色信号の信号レベルの調整を行う。Ａ／Ｄ変換部５２は、アナログ信号処理部５１により処理されたアナログの画像データをデジタルの画像データに変換して主制御部６０へ出力する。
【００３１】
モータドライバ５８は、ズームレンズ１４を移動するための図示を省略したモータを含んで構成され、入力された駆動信号に基づいてこのモータを駆動させることで、ズームレンズ１４を光軸に沿って移動させる。
【００３２】
第２の受光領域９２は、第１の受光領域９０より狭い受光領域であるので、本実施の形態のデジタルカメラ１０では、動画像モードまたは静止画像モードが設定されたときに、同一画角の画像データが得られるように、設定されたモードの種類に応じたズームレンズ１４の位置が定められている。ズームレンズ１４の位置として、図４に示すように、動画像モードが設定されたときの位置４８（以下、動画用標準位置４８という）、及び静止画像モードが設定されたときの、動画用標準位置４８より広角側の位置４６（以下、静止画用標準位置４６という）が定められている。なお、動画用標準位置４８と静止画用標準位置４６とは、静止画像モードが設定されたときの画角と動画像モードが設定されたときの画角とが同一画角となるように、第１の受光領域９０及び第２の受光領域９２のサイズに応じて予め定められている。
【００３３】
主制御部６０は、デジタルカメラ１０の全体的な動作を司り、ＣＰＵ６２、メモリ６６、メディア制御部６４、表示制御部６８、及び画像処理部７０を含んで構成されている。これらのＣＰＵ６２、メモリ６６、メディア制御部６４、表示制御部６８、及び画像処理部７０は、データバスやコントロールバスで構成されたバス６１に接続されており、バス６１を介してデータやコマンドの授受が可能な構成となっている。
【００３４】
画像処理部７０は、Ａ／Ｄ変換部５２から入力された画像データに対して所定のデジタル信号処理を行うものであって、オフセット補正部７１、ゲイン補正部７２、ガンマ補正部７３、ＲＧＢ補間処理部７４、ＲＧＢ―ＹＣ変換部７５、輪郭補正色差補正部７６、及びＹＣ０ＲＧＢ変換部７７を含んで構成されている。
【００３５】
Ａ／Ｄ変換部５２から入力された画像データは、オフセット補正部７１でオフセット処理された後、ゲイン補正部７２で増幅処理され、ガンマ補正部７３においてガンマ補正処理が施され、ＲＧＢ補間処理７４においてＲＧＢ補間処理が施される。更に、ＲＧＢ―ＹＣ変換部７５において、輝度（Ｙ信号）及び色差信号（Ｃｒ、Ｃｂ信号）に変換される所定のデジタル信号処理が行われ、輪郭補正色差補正部７６において、輪郭補正及び色差補正が施され、更に、ＹＣ―ＲＧＢ変換部７７においてＲＧＢ信号に変換された後に、メモリ６６に格納される。なお、上記ＲＧＢ補間処理７４及びＲＧＢ―ＹＣ変換処理７５に変えて、簡易ＲＧＢ補間処理を施すようにしてもよい。
【００３６】
メディア制御部６４は、メモリカード等の記録メディア２０に対して画像データを含む各種データを読み書きする。記録メディア２０は、スロット２２（図１参照）に装填されることによってメディア制御部６４に接続されると、データの授受が可能となる。メモリ６６に格納された画像データは、図示を省略した圧縮伸長処理回路でＪＰＥＧやＭＰＥＧなどの所定の圧縮方式で圧縮された後に、メディア制御部６４を介して、記録メディア２０に記録される。表示制御部６８は、記録メディア２０に記録された画像データの画像をＬＣＤ３４に表示する。
【００３７】
また、ＣＰＵ６２には、Ｉ／Ｏ６７を介してスイッチ３６が接続されている。スイッチ３６は、メニューボタン３８、上下矢印キー４０、実行ボタン４２、電源スイッチ２６、モードダイヤル２４、及びレリーズスイッチ２８を含んで構成されている。更に、ＣＰＵ６２には、ストロボ制御部５４を介して、ストロボ１７が接続されている。更に、ＣＰＵ６２には、図示を省略したフォーカスレンズの位置及び絞り１９の開度を調整するためのモータを備えたモータ駆動回路（図示省略）が接続されている。
【００３８】
次に、上記実施の形態に係るデジタルカメラ１０の作用を説明する。
【００３９】
図５には、ＣＰＵ６２で所定時間毎に実行される処理ルーチンを示した。
【００４０】
ステップ１０２では、モードダイヤル２４の状態を判断することによって、ユーザによって動画像モードが設定された状態か、静止画像モードが設定された状態かを判断する。ステップ１０２で動画像モードが設定されていると判断されると、ステップ１０４へ進み、ＣＣＤ駆動信号・切換信号発生部５６へ、動画像モード切替信号を出力する。動画像モード切替信号がＣＣＤ駆動信号・切換信号発生部５６へ入力されると、水平転送路切換信号発生部５６Ｂにより、動画像モードへの切換信号が発生されて、第２の水平転送路８８からアナログ信号処理部５１へ画像データを読出すように、画像データを読出す水平転送路が切換えられる。
【００４１】
次のステップ１０６では、垂直転送路８４1〜nへ、第２の受光領域９２内の信号電荷蓄積素子８０Ａ1〜n各々に蓄積された信号電荷が転送されるように、ＣＣＤ駆動信号・切換信号発生部５６へスイッチ８５1〜nの切換信号を出力する。この切換信号が、ＣＣＤ駆動信号・切換信号発生部５６へ入力されると、垂直転送路切換信号発生部５６Ａにより、スイッチ８５1〜n各々は、第２の受光領域９２内の信号電荷蓄積素子８０Ａ1〜n各々に蓄積された信号電荷を垂直転送路８４1〜nへ転送するように切換えられる。
【００４２】
次のステップ１０８では、ズームレンズ１４を動画用標準位置４８へ移動するための駆動信号をモータドライバ５８へ出力するレンズ移動信号出力処理が実行される。モータドライバ５８によって、ズームレンズ１４の位置は、動画用標準位置４８となるように調整される。
【００４３】
次のステップ１１０で、レリーズスイッチ２８が操作されたか否かを判断することにより、撮影指示がなされたか否かを判断し、肯定されるとステップ１１２へ進む。なお、ステップ１１０において、所定時間以上撮影指示が無い場合は、本ルーチンを終了するようにしてもよい。
【００４４】
上記ステップ１１０で肯定されて、レリーズスイッチ２８が操作されると、次のステップ１１２において連続して画像データを得る動画像撮影処理が実行される。
【００４５】
具体的には、レリーズスイッチ２８が操作されると、焦点を調整するＡＦ制御が行われて図示を省略したモータ駆動回路を介してフォーカスレンズ（図示省略）の位置が調整される。また、絞り値及びシャッタスピードが決定され、図示を省略したモータ駆動回路を介して絞り１９の開度が調整されるとともに、決定されたシャッタスピードとなるように電子シャッターによって信号電荷の蓄積時間が制御される。更に、電荷蓄積素子８０1〜n各々に蓄積された信号電荷を所定のタイミング（電子シャッタがオフの期間）で読出すためのタイミング信号をＣＣＤ駆動信号・切換信号発生部５６に生成させて、ＣＣＤ５０へ出力させる。これによって、第２の受光領域９２内の各信号電荷蓄積素子８０Ａ1〜n各々に蓄積された信号電荷は、各々トランスファゲート８３1〜nを介して垂直転送路８４1〜n各々へ転送された後に、各垂直転送路８４1〜n１行毎に第２の水平転送路８８へ転送される。第２の水平転送路８８へ順次転送された信号電荷は、アンプ８９Ａにより画像データに変換された後に、出力端子８９Ｂを介してアナログ信号処理部５１へ出力されて、アナログ信号処理部５１によって、第２の受光領域９２内の信号電荷蓄積素子８０Ａ1〜n各々に蓄積された信号電荷が画像データとして読み出される。以上、第２の受光領域９２内の信号電荷蓄積素子８０Ａ1〜n各々に蓄積された信号電荷を画像データとして読出す一連の処理が連続して繰り返し実行されることによって、連続する複数フレーム分の画像データが順次アナログ信号処理部５１へ順次読出され、順次信号処理された後に、Ａ／Ｄ変換部５２及び画像処理部７０を介して、メモリ６６に設けられた図示を省略した複数のバッファに順次保持された後に、図示を省略した圧縮伸長部において動画圧縮の標準的な圧縮方式であるＭＰＥＧ方式に圧縮される。
【００４６】
次にステップ１０８において、上記ステップ１０６の動画撮影処理によって得られた動画像データを記録メディア２０に順次記録した後に、本ルーチンを終了する。
【００４７】
一方、上記ステップ１０２で否定されると、ステップ１１６へ進み、モードダイヤル２４の状態を判断することによって、ユーザによって静止画像モードが設定された状態かを判断する。ステップ１１６で静止画像モードが設定されていると判断されると、ステップ１１８へ進み、ＣＣＤ駆動信号・切換信号発生部５６へ、静止画像モード切替信号を出力する。静止画像モード切替信号がＣＣＤ駆動信号・切換信号発生部５６へ入力されると、水平転送路切換信号発生部５６Ｂにより、静止画像モードへの切換信号が発生されて、第１の水平転送路８６からアナログ信号処理部５１へ画像データを読出すように、画像データを読出す水平転送路が切換えられる。
【００４８】
次のステップ１２０では、垂直転送路８２1〜nへ第２の受光領域９２内の信号電荷蓄積素子８０Ａ1〜n各々に蓄積された信号電荷が転送されるように、ＣＣＤ駆動信号・切換信号発生部５６へスイッチ８５1〜nの切換信号を出力する。ＣＣＤ駆動信号・切換信号発生部５６へ入力されると、垂直転送路切換信号発生部５６Ａにより切換信号が発生されて、スイッチ８５1〜n各々は、第２の受光領域９２内の信号電荷蓄積素子８０Ａ1〜n各々に蓄積された信号電荷を垂直転送路８２1〜nへ転送するように切換えられる。
【００４９】
次のステップ１２２では、ズームレンズ１４を静止画用標準位置４６へ移動するための駆動信号をモータドライバ５８へ出力するレンズ移動信号出力処理が実行される。モータドライバ５８によって、ズームレンズ１４の位置は、静止画用標準位置４６となるように調整される。
【００５０】
次のステップ１２４で、レリーズスイッチ２８が操作されたか否かを判断することにより、撮影指示がなされたか否かを判断し、肯定されるとステップ１１６へ進む。なお、ステップ１２４において、所定時間以上撮影指示が無い場合は、本ルーチンを終了するようにしてもよい。
【００５１】
上記ステップ１２４で肯定されて、レリーズスイッチ２８が操作されると、次のステップ１１２において静止画像の画像データを得る静止画像撮影処理が実行される。
【００５２】
具体的には、レリーズスイッチ２８が操作されると、焦点を調整するＡＦ制御が行われた図示を省略したモータ駆動回路を介してフォーカスレンズ（図示省略）の位置が調整される。また、絞り値及びシャッタスピードが決定され、図示を省略したモータ駆動回路を介して絞り１９の開度が調整されるとともに、決定されたシャッタスピードとなるように電子シャッターによって信号電荷の蓄積時間が制御される。更に、電荷蓄積素子８０1〜n各々に蓄積された信号電荷を所定のタイミング（電子シャッタがオフの期間）で読出すためのタイミング信号をＣＣＤ駆動信号・切換信号発生部５６に生成させて、ＣＣＤ５０へ出力させる。これによって、ＣＣＤ５０の各信号電荷蓄積素子８０1〜n各々に蓄積された信号電荷は、各々トランスファゲート８１1〜nを介して垂直転送路８２1〜n各々へ転送された後に、各垂直転送路８２1〜n１行毎に第１の水平転送路８６へ順次転送される。第１の水平転送路８６へ順次転送された信号電荷は、アンプ８７Ａによって画像データに変換された後に、出力端子８７Ｂを介してアナログ信号処理部５１へ出力されて、アナログ信号処理部５１によって、第１の受光領域９０内の信号電荷蓄積素子８０1〜n各々に蓄積された信号電荷が画像データとして読み出される。アナログ信号処理部５１に読出された画像データは、信号処理された後に、Ａ／Ｄ変換部５２及び画像処理部７０を介して、メモリ６６に保持された後に、図示を省略した圧縮伸長部において静止画圧縮の標準的な圧縮方式であるＪＰＥＧ方式に圧縮される。
【００５３】
次にステップ１２８において、上記ステップ１２６の静止画撮影処理によって得られた静止画像の画像データを記録メディア２０に順次記録した後に、本ルーチンを終了する。
【００５４】
以上説明したように、本発明のデジタルカメラ１０では、動画像の画像データに比べて高解像度が要求される静止画像の画像データを得る静止画像モードが設定されると、ＣＣＤ５０上の第２の受光領域９２より広い第１の受光領域９０内の信号電荷蓄積素子８０1〜n各々に蓄積された信号電荷を画像データとして読出し、静止画像の画像データに比べて高解像度の要求の少ない動画像の画像データを得る動画像モードが設定されると、第１の受光領域９０より狭い第２の受光領域９２内の信号電荷蓄積素子８０Ａ1〜n各々に蓄積された信号電荷を画像データとして読出すことができるので、動画像モード及び静止画像モードの設定に応じて、容易に画素数、すなわち解像度を変更することができる。
【００５５】
また、設定されたモードに応じて容易に解像度を変更することができるので、静止画像の画像データに比べて高解像度の要求の少ない動画像の画像データを、効率よく得ることができる。
【００５６】
また、第２の受光領域９２より広い第１の受光領域９０内の信号電荷蓄積素子８０1〜n各々に蓄積された信号電荷、すなわち静止画像モード用の信号電荷を転送するための垂直転送路８２1〜n及び第２の水平転送路８８と、第１の受光領域９０より狭い第２の受光領域９２内の信号電荷蓄積素子８０Ａ1〜n各々に蓄積された信号電荷、すなわち動画像モード用の信号電荷を転送するための垂直転送路８４1〜n及び第１の水平転送路８６とを、別々に設けているので、効率良く静止画像モード用の信号電荷、及び動画像モード用の信号電荷を画像データとして得ることができる。
【００５７】
更に、第１の受光領域９０と第２の受光領域９２とのサイズの違いに応じて、静止画像モードと動画像モードとで同一画角の画像データが得られるように、モードの設定がなされるとズームレンズ１４の位置を調整することができるので、静止画像モードの画角と動画像モードの画角とが同一となるように調整することができる。
【図面の簡単な説明】
【００５８】
【図１】本実施の形態に係るデジタルカメラの外観図の一例であり、（Ａ）は本発明の実施の形態に係るデジタルカメラの正面図であり、（Ｂ）は本発明の実施の形態に係るデジタルカメラの背面図である。
【図２】本実施の形態に係るデジタルカメラの主要構成を示すブロック図である。
【図３】本実施の形態に係るＣＣＤの構成を示す概略構成図である。
【図４】動画像モード及び静止画像モードに応じたレンズの位置を示す模式図である。
【図５】本実施の形態に係るデジタルカメラにおける処理の流れを示すフローチャートである。
【符号の説明】
【００５９】
１０  デジタルカメラ
２４  モードダイヤル
５０  ＣＣＤ
５１  アナログ信号処理部
５６  駆動信号・切換信号発生部
５６Ｂ  水平転送路切換信号発生部
８０1〜n、８０Ａ1〜n  信号電荷蓄積素子
８６  第１の転送路
８８  第２の転送路
９０  第１の受光領域
９２  第２の受光領域
【図１】
2006005529.tif 000003
【図２】
2006005529.tif 000004
【図３】
2006005529.tif 000005
【図４】
2006005529.tif 000006
【図５】
2006005529.tif 000007